【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
携帯型電気エネルギー貯蔵装置の収集充電分配装置のコントローラを動作させる方法であって、
前記携帯型電気エネルギー貯蔵装置の収集充電分配装置のコントローラにより、携帯型電気エネルギー貯蔵装置の収集充電分配装置において、ユーザーから携帯型電気エネルギー貯蔵装置に対する要求を受け取るステップと、
前記携帯型電気エネルギー貯蔵装置の収集充電分配装置の前記コントローラにより、受け取った前記ユーザーのユーザープロファイルに基づいて、前記携帯型電気エネルギー貯蔵装置の収集充電分配装置の内から特定の性能特性を有する携帯型電気エネルギー貯蔵装置を自動的に選択するステップと、
前記選択された携帯型電気エネルギー貯蔵装置を前記ユーザーのために自動的にリリースするステップと、
を有する方法。
【請求項２】
前記自動的に選択するステップは、前記携帯型電気エネルギー貯蔵装置の収集充電分配装置の使用のための相対的に低いサブスクリプションレベルを示す別のユーザープロファイルに関連付けられた別のユーザーのために選択されることになる前記携帯型電気エネルギー貯蔵装置の収集充電分配装置内の別の携帯型電気エネルギー貯蔵装置よりも優れた性能特性を有する携帯型電気エネルギー貯蔵装置を選択するステップを含む請求項１に記載の方法。
【請求項３】
前記性能特性は、前記携帯型電気エネルギー貯蔵装置の使用年数、前記携帯型電気エネルギー貯蔵装置の容量、前記携帯型電気エネルギー貯蔵装置の現在の充電レベル、前記携帯型電気エネルギー貯蔵装置の充電容量に対する充電レベルの百分率、前記携帯型電気エネルギー貯蔵装置がそれまでに経験している充電サイクルの合計累積数、前記携帯型電気エネルギー貯蔵装置の重放電の回数又は頻度、前記携帯型電気エネルギー貯蔵装置の温度曝露、前記携帯型電気エネルギー貯蔵装置の充電サイクルの数又は頻度を表す値、前記携帯型電気エネルギー貯蔵装置が過激な運転プロファイルを有する運転者によって使用されたことがあるかどうかのうちの１つ以上を含む請求項２に記載の方法。
【請求項４】
前記携帯型電気エネルギー貯蔵装置の収集充電分配装置の前記構成されたコントローラにより、高加速に関連する前記運転者の加速器読取値及び携帯型電気エネルギー貯蔵装置の前記運転者の使用の際の電流引出しレベルのうちの１つ以上に基づいて前記運転プロファイルに関する情報を受け取ることにより、運転者の運転プロファイルを決定するステップを更に有する請求項３に記載の方法。
【請求項５】
前記携帯型電気エネルギー貯蔵装置をリリースする前に、使用済みの携帯型電気エネルギー貯蔵装置が前記ユーザーから前記携帯型電気エネルギー貯蔵装置の収集充電分配装置によって受け取られていることを示す信号を受け取るステップを更に有する請求項２に記載の方法。
【請求項６】
前記携帯型電気エネルギー貯蔵装置の収集充電分配装置の前記コントローラにより、前記受け取ったユーザープロファイルに基づいて、前記ユーザーによって使用される前記携帯型電気エネルギー貯蔵装置から放出するべき特定レベルのエネルギーを決定するステップと、
前記携帯型電気エネルギー貯蔵装置の収集充電分配装置の前記コントローラにより、前記受け取ったユーザープロファイルに基づいて前記ユーザーによって使用される前記決定された特定のレベルで前記携帯型電気エネルギー貯蔵装置からエネルギーを放出するように前記携帯型電気エネルギー貯蔵装置のセキュリティシステムを構成するステップと、
を更に有する請求項１に記載の方法。
【請求項７】
前記構成するステップは、前記携帯型電気エネルギー貯蔵装置のリリースの前に実行される請求項６に記載の方法。
【請求項８】
無線接続上において前記ユーザープロファイルを受け取るステップを更に有する請求項１に記載の方法。
【請求項９】
前記ユーザープロファイルを受け取るステップは、前記ユーザーのモバイル装置を介して前記ユーザープロファイルを受け取るステップを含む請求項８に記載の方法。
【請求項１０】
前記携帯型電気エネルギー貯蔵装置を自動的に選択するステップは、前記ユーザープロファイル上において示されている前記ユーザーによって採用された複数の過去のルートのいくつかの特徴を示す過去のルート情報に基づいて前記携帯型電気エネルギー貯蔵装置を選択するステップを含む請求項１に記載の方法。
【請求項１１】
前記携帯型電気エネルギー貯蔵装置を自動的に選択するステップは、前記ユーザープロファイル上において示されている１つ以上の車両仕様に基づいて前記携帯型電気エネルギー貯蔵装置を選択するステップを含む請求項１に記載の方法。
【請求項１２】
前記携帯型電気エネルギー貯蔵装置を自動的に選択するステップは、前記受け取ったユーザープロファイルをその他のユーザープロファイルと比較するように構成されたユーザーの間における優先順位付けシステムに基づいて前記携帯型電気エネルギー貯蔵装置を選択するステップを含む請求項１に記載の方法。
【請求項１３】
携帯型電気エネルギー貯蔵装置充電器と、
携帯型電気エネルギー貯蔵装置リリースシステムと、
前記リリースシステムに結合されたセキュリティシステムと、
ユーザーインターフェイスと、
前記携帯型電気エネルギー貯蔵装置充電器、前記リリースシステム、前記ユーザーインターフェイス、及び前記セキュリティシステムに結合されたコントローラと、
を有し、
前記コントローラは、
少なくとも１つのプロセッサと、
前記少なくとも１つのプロセッサに結合された少なくとも１つの通信モジュールと、
を含み、
前記少なくとも１つのプロセッサは、
前記ユーザーの受け取ったユーザープロファイルに基づいて、特定の性能特性を有する携帯型電気エネルギー貯蔵装置をユーザーのために選択し、
前記ユーザーによって使用される前記選択された電気エネルギー貯蔵装置を自動的にリリースする、
ように構成されている、携帯型電気エネルギー貯蔵装置の収集充電分配装置。
【請求項１４】
前記少なくとも１つのプロセッサは、前記携帯型電気エネルギー貯蔵装置の収集充電分配装置において前記ユーザーから携帯型電気エネルギー貯蔵装置に対する要求を受け取るように結合されている請求項１３に記載の携帯型電気エネルギー貯蔵装置の収集充電分配装置。
【請求項１５】
前記携帯型電気エネルギー貯蔵装置の前記選択は、前記ユーザーが前記要求時点で割増価格でその他の利用可能な車両電池よりも高性能の携帯型電気エネルギー貯蔵装置の提案を受けることを好んでいるという前記ユーザープロファイル内の通知に更に基づいている請求項１４に記載の携帯型電気エネルギー貯蔵装置の収集充電分配装置。
【請求項１６】
前記少なくとも１つのプロセッサは、
前記携帯型電気エネルギー貯蔵装置の収集充電分配装置がその他の利用可能な車両電池よりも高性能の携帯型電気エネルギー貯蔵装置を前記ユーザーのために選択できるという選択肢を前記ユーザーに対して提案し、
前記提案に応答した入力を受け取り、
前記入力に従って前記携帯型電気エネルギー貯蔵装置の選択を実行する請求項１５に記載の携帯型電気エネルギー貯蔵装置の収集充電分配装置。
【請求項１７】
前記ユーザーのための前記携帯型電気エネルギー貯蔵装置の前記選択は、前記携帯型電気エネルギー貯蔵装置の収集充電分配装置の使用のための相対的に低いサブスクリプションレベルを示す別のユーザープロファイルに関連付けられた別のユーザーのために選択されることになる前記携帯型電気エネルギー貯蔵装置の収集充電分配装置内の別の携帯型電気エネルギー貯蔵装置よりも優れた性能特性を有する携帯型電気エネルギー貯蔵装置の選択を含む請求項１３に記載の携帯型電気エネルギー貯蔵装置の収集充電分配装置。
【請求項１８】
前記性能特性は、前記携帯型電気エネルギー貯蔵装置の使用年数、前記携帯型電気エネルギー貯蔵装置の容量、前記携帯型電気エネルギー貯蔵装置の現在の充電レベル、前記携帯型電気エネルギー貯蔵装置の充電容量に対する充電レベルの百分率、前記携帯型電気エネルギー貯蔵装置がそれまでに経験している充電サイクルの合計累積数、前記携帯型電気エネルギー貯蔵装置の重放電の回数又は頻度、前記携帯型電気エネルギー貯蔵装置の温度曝露、前記携帯型電気エネルギー貯蔵装置の充電サイクルの数又は頻度を表す値、前記携帯型電気エネルギー貯蔵装置が過激な運転プロファイルを有する運転者によって使用されたことがあるかどうかのうちの１つ以上を含む請求項１７に記載の携帯型電気エネルギー貯蔵装置の収集充電分配装置。
【請求項１９】
前記少なくとも１つのプロセッサは、運転者の運転プロファイルを決定するように更に構成されており、この決定は、高加速に関連付けられる前記運転者の加速器読取値及び携帯型電気エネルギー貯蔵装置の前記運転者の使用の際の電流引出しレベルのうちの１つ以上に基づいて前記運転プロファイルに関する情報を受け取ることによって実行される請求項１３に記載の携帯型電気エネルギー貯蔵装置の収集充電分配装置。
【請求項２０】
前記少なくとも１つのプロセッサは、前記携帯型電気エネルギー貯蔵装置をリリースする前に、使用済みの携帯型電気エネルギー貯蔵装置が前記ユーザーから前記携帯型電気エネルギー貯蔵装置の収集充電分配装置によって受け取られていることを示す信号を受け取るように更に構成されている請求項１３に記載の携帯型電気エネルギー貯蔵装置の収集充電分配装置。
【請求項２１】
命令を記憶する一時的ではないコンピュータ可読媒体であって、前記命令は、少なくとも１つのコンピュータシステムによって実行された際に、前記少なくとも１つのコンピュータシステムに、
携帯型電気エネルギー貯蔵装置の収集充電分配装置においてユーザーから携帯型電気エネルギー貯蔵装置に対する要求を受け取ることと、
前記携帯型電気エネルギー貯蔵装置の収集充電分配装置の内から特定の性能特性を有する携帯型電気エネルギー貯蔵装置を自動的に選択することと、
前記選択された携帯型エネルギー貯蔵装置の前記ユーザーに対する自動的なリリースを制御すること、を実行させる、媒体。
【請求項２２】
前記命令は、前記少なくとも１つのコンピュータシステムによって実行された際に、前記少なくとも１つのコンピュータシステムに、前記ユーザーのユーザープロファイルを更に受け取らせる請求項２１に記載の一時的ではないコンピュータ可読媒体。
【請求項２３】
前記自動的な選択は、前記受け取ったユーザープロファイルに基づいたものである請求項２１に記載の一時的ではないコンピュータ可読媒体。
【請求項２４】
携帯型電気エネルギー貯蔵装置の収集充電分配装置のコントローラを動作させる方法であって、
前記携帯型電気エネルギー貯蔵装置の収集充電分配装置において、前記携帯型電気エネルギー貯蔵装置の収集充電分配装置のコントローラにより、ユーザーから携帯型電気エネルギー貯蔵装置に対する要求を受け取るステップと、
前記受け取った要求に関して無線認証するステップと、
前記無線認証に基づいて、選択された携帯型電気エネルギー貯蔵装置を前記ユーザーのためにリリースするステップと、
を有する方法。
【請求項２５】
無線Ｂｌｕｅｔｏｏｔｈプロトコル、ＮＦＣ、ＲＦＩＤの少なくとも一つに基づいて前記無線認証がなされる、請求項２４に記載の方法。
【請求項２６】
ユーザー識別装置、ユーザー識別キー、ユーザー識別カード、ユーザー識別媒体、クレジットカード、スマートカード、デビットカード、ギフトカード、プリペイドカード、運転免許証、携帯型電気エネルギー貯蔵装置の少なくとも一つの無線通信に基づいて、前記無線認証がなされる、請求項２４に記載の方法。
【請求項２７】
命令を記憶する一時的ではないコンピュータ可読媒体であって、前記命令は、少なくとも１つのコンピュータシステムによって実行された際に、前記少なくとも１つのコンピュータシステムに、
携帯型電気エネルギー貯蔵装置の収集充電分配装置において、前記携帯型電気エネルギー貯蔵装置の収集充電分配装置のコントローラによって、ユーザーから携帯型電気エネルギー貯蔵装置に対する要求を受け取ること、
前記受け取った要求に関して無線認証を行うこと、
前記無線認証に基づいて、選択された携帯型電気エネルギー貯蔵装置を前記ユーザーのためにリリースすること、を実行させる、媒体。
【請求項２８】
無線Ｂｌｕｅｔｏｏｔｈプロトコル、ＮＦＣ、ＲＦＩＤの少なくとも一つに基づいて前記無線認証がなされる、請求項２７に記載の媒体。
【請求項２９】
ユーザー識別装置、ユーザー識別キー、ユーザー識別カード、ユーザー識別媒体、クレジットカード、スマートカード、デビットカード、ギフトカード、プリペイドカード、運転免許証、携帯型電気エネルギー貯蔵装置の少なくとも一つの無線通信に基づいて、前記無線認証がなされる、請求項２７に記載の媒体。
【請求項３０】
携帯型電気エネルギー貯蔵装置充電器と、
携帯型電気エネルギー貯蔵装置リリースシステムと、
前記リリースシステムに結合されたセキュリティシステムと、
ユーザーインターフェイスと、
前記携帯型電気エネルギー貯蔵装置充電器、前記リリースシステム、前記ユーザーインターフェイス、及び前記セキュリティシステムに結合されたコントローラと、
を有し、
前記コントローラは、
少なくとも１つのプロセッサと、
前記少なくとも１つのプロセッサに結合された少なくとも１つの通信モジュールと、
を含み、
前記少なくとも１つのプロセッサは、
携帯型電気エネルギー貯蔵装置の収集充電分配装置において、ユーザーからの携帯型電気エネルギー貯蔵装置の要求に関して無線認証を行い、
前記無線認証に基づいて、選択された携帯型電気エネルギー貯蔵装置を前記ユーザーのためにリリースする、
ように構成されている、携帯型電気エネルギー貯蔵装置の収集充電分配装置。
【請求項３１】
無線Ｂｌｕｅｔｏｏｔｈプロトコル、ＮＦＣ、ＲＦＩＤの少なくとも一つに基づいて前記無線認証がなされる、請求項３０に記載の携帯型電気エネルギー貯蔵装置の収集充電分配装置。
【請求項３２】
ユーザー識別装置、ユーザー識別キー、ユーザー識別カード、ユーザー識別媒体、クレジットカード、スマートカード、デビットカード、ギフトカード、プリペイドカード、運転免許証、携帯型電気エネルギー貯蔵装置の少なくとも一つの無線通信に基づいて、前記無線認証がなされる、請求項３０に記載の携帯型電気エネルギー貯蔵装置の収集充電分配装置。